(57)【要約】【課題】ＥＴＣシステムを用いることなく、高速道路の料金所付近で生じる渋滞を解消する。【解決手段】本発明によれば、入口料金所、出口料金所、及び入口料金所と出口料金所との間の規定通行料金が対応して記憶された通行料金記憶部１Ａと、通行券の挿入を受け付ける通行券挿入受付部３Ａと、利用者により出口料金所の入力を受け付ける入力受付部１Ｆと、通行券から読み出した入口料金所と、出口料金所とに対応する規定通行料金を通行料金記憶部１Ａから読み出し、規定通行料金が閾値よりも高いか否かを判定し、高いと判定した場合、規定通行料金から閾値よりも安い割引金額を減算して割引後の通行料金を算出する制御部１Ｒとを備えて構成する。【選択図】    図１
2004280448.tif 000002
【特許請求の範囲】
【請求項１】
高速道路の入口料金所と出口料金所との間の複数の精算所に各々設置され、前記入口料金所で発行された通行券に記録された前記入口料金所と、利用者により申告された前記出口料金所とに基づいて、前記高速道路の通行料金を規定通行料金から割り引く通行料金割引装置であって、
前記入口料金所、前記出口料金所、及び前記入口料金所と前記出口料金所との間の前記規定通行料金が対応して記憶された通行料金記憶手段と、
前記通行券の提示を受け付ける通行券受付手段と、
前記通行券受付手段により提示された通行券から前記通行券に記録された入口料金所を読み出す入口料金所読み出し手段と、
前記利用者から前記出口料金所の申告を受け付ける出口料金所受付手段と、
前記入口料金所読み出し手段により読み出された入口料金所と、前記出口料金所受付手段で申告された出口料金所とに基づいて、対応する規定通行料金を前記通行料金記憶手段から読み出す通行料金読み出し手段と、
前記通行料金読み出し手段により読み出された規定通行料金が第１の所定料金よりも高いか否かを判定する料金判定手段と、
前記料金判定手段によって、前記規定通行料金が前記第１の所定料金よりも高いと判定された場合に、前記規定通行料金から前記第１の所定料金よりも安い第２の所定料金を減算して割引後の通行料金を算出する割引料金算出手段と
を備えた通行料金割引装置。
【請求項２】
請求項１に記載の通行料金割引装置において、
前記割引料金算出手段により算出された割引後の通行料金を表示する料金表示手段と、
前記料金表示手段により表示された通行料金が利用者により精算されたか否かを判定する精算判定手段と、
前記精算判定手段により前記通行料金が精算されたと判定された場合、前記精算済みの通行料金を前記通行券に記録する通行料金記録手段と、
前記通行料金記録手段により記録された通行券を外部に排出する通行券排出手段と
を更に備えた通行料金割引装置。
【請求項３】
高速道路から車両が退出する出口料金所に設けられ、通行料金が精算済みの通行券に記録された入口料金所、前記精算時に申告された前記出口料金所のうちのいずれかである申告料金所、及び精算済みの通行料金に基づいて、前記出口料金所から退出する車両の前記高速道路における通行料金の不足額を表示する通行料金表示装置であって、
前記高速道路の入口料金所、前記出口料金所、前記入口料金所と前記出口料金所との間の規定通行料金、及び前記入口料金所と前記出口料金所との間の距離が対応して記憶された通行料金記憶手段と、
前記通行券の提示を受け付ける通行券受付手段と、
前記入口料金所と前記申告料金所と精算済みの通行料金との組を前記通行券受付手段により提示を受け付けた前記通行券から読み出す精算情報読み出し手段と、
前記精算情報読み出し手段により読み出した前記入口料金所と前記精算時に申告された申告料金所とに対応する第１の距離と、前記入口料金所と前記車両が退出する出口料金所とに対応する第２の距離とを前記通行料金記憶手段から読み出す距離読み出し手段と、
前記距離読み出し手段により読み出された前記第２の距離が前記第１の距離よりも長距離である場合、前記第２の距離に対応する規定通行料金を前記通行料金記憶手段から読み出す通行料金読み出し手段と、
前記通行料金読み出し手段により読み出された規定通行料金から、前記精算情報読み出し手段により読み出された精算済みの通行料金を差し引くことにより、不足分の通行料金を算出する不足料金算出手段と、
前記不足料金算出手段により算出された不足分の通行料金を表示する不足料金表示手段と
を備えた通行料金表示装置。
【請求項４】
高速道路から車両が退出する出口料金所に設けられ、精算済みの通行券に記録された入口料金所、精算時に申告された前記出口料金所のうちのいずれかである申告料金所、及び精算済みの通行料金に基づいて、前記出口料金所から退出する車両の前記高速道路における通行料金の超過額を表示する通行料金表示装置であって、
前記高速道路の入口料金所、前記出口料金所、前記入口料金所と前記出口料金所との間の規定通行料金、及び前記入口料金所と前記出口料金所との間の距離が対応して記憶された通行料金記憶手段と、
前記通行券の申告を受け付ける通行券受付手段と、
前記入口料金所と前記申告料金所と精算済みの通行料金との組を前記通行券受付手段により申告を受け付けた前記通行券から読み出す精算情報読み出し手段と、
前記精算情報読み出し手段により読み出した前記入口料金所と前記精算時に申告された申告料金所とに対応する第１の距離と、前記入口料金所と前記車両が退出する出口料金所とに対応する第２の距離とを前記通行料金記憶手段から読み出す距離読み出し手段と、
前記距離読み出し手段により読み出された前記第２の距離が前記第１の距離よりも短距離である場合、前記第２の距離に対応する規定通行料金を前記通行料金記憶手段から読み出す通行料金読み出し手段と、
前記精算情報読み出し手段により読み出された精算済みの通行料金から前記通行料金読み出し手段により読み出された規定通行料金を差し引くことにより、超過分の通行料金を算出する超過料金算出手段と、
前記超過料金算出手段により算出された超過分の通行料金を表示する超過料金表示手段と
を備えた通行料金表示装置。
【請求項５】
高速道路の料金所に設置され、精算済みの通行券に記録された入口料金所、精算時に出口料金所として申告された申告料金所、及び精算済みの通行料金に基づいて、車両が前記高速道路を再利用する場合の通行料金を規定した乗継券を発行する乗継券発行装置であって、
前記通行券から前記入口料金所、申告料金所、及び精算済みの通行料金を読み出す精算情報読み出し手段と、
前記精算情報読み出し手段により読み出された前記入口料金所、前記申告料金所、及び精算済みの通行料金と、前記車両が前記高速道路から途中退出する料金所と退出時刻とを記録した乗継券を発行する乗継券発行手段と
を備えた乗継券発行装置。
【発明の詳細な説明】
【０００１】
【発明の属する技術分野】
本発明は、高速道路のサービスエリア又はパーキングエリアもしくは出口料金所等に設置される通行料金割引装置、通行料金表示装置、及び乗継券発行装置に関する。
【０００２】
【従来の技術】
従来、高速道路の通行料金の割引を行う手法としては、ＥＴＣ（Ｅｌｅｃｔｒｏｎｉｃ  Ｔｏｌｌ  Ｃｏｌｌｅｃｔｉｏｎ）システムを用いて、ＥＴＣ車載器を搭載した車両を有する利用者に対し、通行料金の割引を行う手法が知られている（特許文献１参照）。
【０００３】
【特許文献１】
特開２００１−３３８３１８号公報
【０００４】
【発明が解決しようとする課題】
しかしながら、この種の高速道路の料金割引手法では、ＥＴＣシステムを用いているので、ＥＴＣ車載器を有していない利用者は、高速道路の通行料金の割引を受けることが出来ないという問題がある。
【０００５】
また、本発明者の考察によれば、ＥＴＣシステムは、利用者が対価を支払ってわざわざＥＴＣ車載器を購入しなければならないので、それほど普及しているとはいえない。
【０００６】
しかし、ＥＴＣシステムを用いない場合、料金所で車両が一旦停止をしなければならないので、料金所付近で渋滞が発生してしまう可能性がある。
【０００７】
そこで発明は、上記事情を考慮してなされたもので、ＥＴＣシステムを用いることなく、高速道路の料金所付近で生じる渋滞を解消することが可能な通行料金割引装置及び通行料金表示装置を提供することを目的とする。
【０００８】
本発明の他の目的は、ＥＴＣシステムを用いることなく、高速道路上における渋滞を回避することを可能とする乗継券発行装置を提供することにある。
【０００９】
【課題を解決するための手段】
上記目的を達成するために、第１の発明は、高速道路の入口料金所と出口料金所との間の複数の精算所に各々設置され、入口料金所で発行された通行券に記録された入口料金所と、利用者により申告された出口料金所とに基づいて、高速道路の通行料金を規定通行料金から割り引く通行料金割引装置であって、入口料金所、出口料金所、及び入口料金所と出口料金所との間の規定通行料金が対応して記憶された通行料金記憶手段と、通行券の提示を受け付ける通行券受付手段と、通行券受付手段により提示された通行券から通行券に記録された入口料金所を読み出す入口料金所読み出し手段と、利用者から出口料金所の申告を受け付ける出口料金所受付手段と、入口料金所読み出し手段により読み出された入口料金所と、出口料金所受付手段で申告された出口料金所とに基づいて、対応する規定通行料金を通行料金記憶手段から読み出す通行料金読み出し手段と、通行料金読み出し手段により読み出された規定通行料金が第１の所定料金よりも高いか否かを判定する料金判定手段と、料金判定手段によって、規定通行料金が第１の所定料金よりも高いと判定された場合に、規定通行料金から第１の所定料金よりも安い第２の所定料金を減算して割引後の通行料金を算出する割引料金算出手段とを備えた通行料金割引装置である。
【００１０】
なお、本明細書に記載の精算所とは、車両が高速道路に進入した入口料金所と、高速道路から退出する出口料金所との間に通行料金を精算するために設けられた場所のことをいい、「パーキングエリア」及び「サービスエリア」のことを包含する。
【００１１】
このような構成とすれば、通行券受付手段により通行券の提示が受け付けられ、当該提示された通行券から、通行券に記録された入口料金所が入口料金所読み出し手段により読み出され、利用者から出口料金所の申告が出口料金所受付手段により受け付けられ、入口料金所読み出し手段により読み出された入口料金所と、出口料金所受付手段で申告された出口料金所とに基づいて、通行料金読み出し手段により対応する規定通行料金が通行料金記憶手段から読み出され、当該読み出された規定通行料金が第１の所定料金よりも高いか否かが料金判定手段により判定され、当該料金判定手段によって、規定通行料金が第１の所定料金よりも高いと判定された場合に、規定通行料金から第１の所定料金よりも安い第２の所定料金を減算して割引後の通行料金が割引料金算出手段により算出されるので、精算所で精算を行った場合に、出口料金所で長時間車両が停止する必要がなくなり、ＥＴＣシステムを用いることなく、高速道路の料金所付近で生じる渋滞を解消することが出来る。
【００１２】
更に、このような構成とすることにより、利用者は、高速道路の通行料金の割引を受けることが出来る。
【００１３】
第２の発明は、第１の発明の通行料金割引装置において、割引料金算出手段により算出された割引後の通行料金を表示する料金表示手段と、料金表示手段により表示された通行料金が利用者により精算されたか否かを判定する精算判定手段と、精算判定手段により通行料金が精算されたと判定された場合、精算済みの通行料金を通行券に記録する通行料金記録手段と、通行料金記録手段により記録された通行券を外部に排出する通行券排出手段とを更に備えた通行料金割引装置である。
【００１４】
このような構成とすれば、第１の発明と同様の作用を奏することが出来る。
【００１５】
第３の発明は、高速道路から車両が退出する出口料金所に設けられ、通行料金が精算済みの通行券に記録された入口料金所、精算時に申告された出口料金所のうちのいずれかである申告料金所、及び精算済みの通行料金に基づいて、出口料金所から退出する車両の高速道路における通行料金の不足額を表示する通行料金表示装置であって、高速道路の入口料金所、出口料金所、入口料金所と出口料金所との間の規定通行料金、及び入口料金所と出口料金所との間の距離が対応して記憶された通行料金記憶手段と、通行券の提示を受け付ける通行券受付手段と、入口料金所と申告料金所と精算済みの通行料金との組を通行券受付手段により提示を受け付けた通行券から読み出す精算情報読み出し手段と、精算情報読み出し手段により読み出した入口料金所と精算時に申告された申告料金所とに対応する第１の距離と、入口料金所と車両が退出する出口料金所とに対応する第２の距離とを通行料金記憶手段から読み出す距離読み出し手段と、距離読み出し手段により読み出された第２の距離が前記第１の距離よりも長距離である場合、第２の距離に対応する規定通行料金を通行料金記憶手段から読み出す通行料金読み出し手段と、通行料金読み出し手段により読み出された規定通行料金から、精算情報読み出し手段により読み出された精算済みの通行料金を差し引くことにより、不足分の通行料金を算出する不足料金算出手段と、不足料金算出手段により算出された不足分の通行料金を表示する不足料金表示手段とを備えた通行料金表示装置である。
【００１６】
このような構成とすれば、通行券受付手段により通行券の提示が受け付けられ、入口料金所と申告料金所と精算済みの通行料金との組が提示を受け付けた通行券から精算情報読み出し手段により読み出され、当該読み出された入口料金所と精算時に申告された申告料金所とに対応する第１の距離と、入口料金所と車両が退出する出口料金所とに対応する第２の距離とが通行料金記憶手段から距離読み出し手段により読み出され、当該読み出された第２の距離が前記第１の距離よりも長距離である場合、第２の距離に対応する規定通行料金が通行料金記憶手段から通行料金読み出し手段により読み出され、当該読み出された規定通行料金から、精算情報読み出し手段により読み出された精算済みの通行料金を差し引くことにより、不足分の通行料金が不足料金算出手段により算出され、当該算出された不足分の通行料金が不足料金表示手段により表示されるので、出口料金所で車両が長時間停止する必要がなくなることとなり、ＥＴＣシステムを用いることなく、高速道路の料金所付近で生じる渋滞を解消することが出来る。
【００１７】
第４の発明は、高速道路から車両が退出する出口料金所に設けられ、精算済みの通行券に記録された入口料金所、精算時に申告された出口料金所のうちのいずれかである申告料金所、及び精算済みの通行料金に基づいて、出口料金所から退出する車両の前記高速道路における通行料金の超過額を表示する通行料金表示装置であって、高速道路の入口料金所、出口料金所、入口料金所と出口料金所との間の規定通行料金、及び入口料金所と出口料金所との間の距離が対応して記憶された通行料金記憶手段と、通行券の申告を受け付ける通行券受付手段と、入口料金所と申告料金所と精算済みの通行料金との組を通行券受付手段により申告を受け付けた通行券から読み出す精算情報読み出し手段と、精算情報読み出し手段により読み出した入口料金所と精算時に申告された申告料金所とに対応する第１の距離と、入口料金所と車両が退出する出口料金所とに対応する第２の距離とを通行料金記憶手段から読み出す距離読み出し手段と、距離読み出し手段により読み出された第２の距離が第１の距離よりも短距離である場合、第２の距離に対応する規定通行料金を通行料金記憶手段から読み出す通行料金読み出し手段と、精算情報読み出し手段により読み出された精算済みの通行料金から通行料金読み出し手段により読み出された規定通行料金を差し引くことにより、超過分の通行料金を算出する超過料金算出手段と、超過料金算出手段により算出された超過分の通行料金を表示する超過料金表示手段とを備えた通行料金表示装置である。
【００１８】
このような構成とすれば、通行券受付手段により通行券の申告が受け付けられ、入口料金所と申告料金所と精算済みの通行料金との組が申告を受け付けた通行券から精算情報読み出し手段により読み出され、当該読み出した入口料金所と精算時に申告された申告料金所とに対応する第１の距離と、入口料金所と車両が退出する出口料金所とに対応する第２の距離とが通行料金記憶手段から距離読み出し手段により読み出され、当該読み出された第２の距離が第１の距離よりも短距離である場合、第２の距離に対応する規定通行料金が通行料金記憶手段から通行料金読み出し手段により読み出され、当該読み出された精算済みの通行料金から通行料金読み出し手段により読み出された規定通行料金を差し引くことにより、超過分の通行料金が超過料金算出手段により算出され、当該算出された超過分の通行料金が超過料金表示手段により表示されるので、ＥＴＣシステムを用いることなく、高速道路の料金所付近で生じる渋滞を解消することが出来る。
【００１９】
更に、このような構成とすることにより、超過分の通行料金を利用者に返却することが可能となる。
【００２０】
第５の発明は、高速道路の料金所に設置され、精算済みの通行券に記録された入口料金所、精算時に出口料金所として申告された申告料金所、及び精算済みの通行料金に基づいて、車両が高速道路を再利用する場合の通行料金を規定した乗継券を発行する乗継券発行装置であって、通行券から入口料金所、申告料金所、及び精算済みの通行料金を読み出す精算情報読み出し手段と、精算情報読み出し手段により読み出された入口料金所、申告料金所、及び精算済みの通行料金と、車両が高速道路から途中退出する料金所と退出時刻とを乗継券に記録した乗継券を発行する乗継券発行手段とを備えた乗継券発行装置である。
【００２１】
このような構成とすれば、精算情報読み出し手段により通行券から入口料金所、申告料金所、及び精算済みの通行料金が読み出され、
当該読み出された入口料金所、申告料金所、及び精算済みの通行料金と、車両が高速道路から途中退出する料金所と退出時刻とが記録された乗継券が乗継券発行手段により発行されるので、高速道路を途中退出する料金所で乗継券を発行するので、高速道路上における渋滞を回避することが可能となる。
【００２２】
【発明の実施の形態】
以下、本発明の各実施の形態について図面を用いて説明する。
【００２３】
［第１の実施の形態］
図１は、本発明の第１の実施の形態に係る通行料金割引装置１と、通行料金表示装置２とを適用した通行料金精算システムの構成例を示す模式図である。
【００２４】
本実施の形態に係る通行料金割引装置１は、入り口料金所からの距離に応じて通行料金が課金される、所謂「対距離方式」の高速道路の出口料金所との間に設けられた精算所である複数のサービスエリア及び複数のパーキングエリアに設置されている。
【００２５】
また、本実施の形態に係る通行料金表示装置は、「対距離方式」で課金される高速道路の各料金所のブース内に設置されている。
【００２６】
なお、本明細書に記載の「入口料金所」とは、車両が高速道路に進入した料金所を意味する。
【００２７】
また、本明細書に記載の「出口料金所」とは、車両の利用者が車両で高速道路を使用して移動しようとしている目的地の直近の料金所のことを意味する。
【００２８】
本明細書に記載の「精算所」とは、「対距離方式」で通行料金が課金される高速道路の入り口料金所と出口料金所との間に設けられた複数の「サービスエリア」と、複数の「パーキングエリア」とを包含する。
【００２９】
本実施の形態に係る通行料金割引装置１は、通行料金記憶部１Ａと、閾値情報記憶部１Ｂと、通行券挿入受付部１Ｃと、通行券排出部１Ｄ、通行券駆動機構１Ｅと、データ入力部１Ｆと、表示部１Ｇと、料金投入部１Ｈと、料金検出部１Ｉと、料金格納部１Ｊと、料金格納機構１Ｋと、釣り銭排出機構１Ｍと、磁気データ読み取り部１Ｎと、磁気データ書き込み部１Ｏと、印字部１Ｐと、通信インターフェース１Ｑと、制御部１Ｒとから構成されている。
【００３０】
通行料金記憶部１Ａには、車両の車種毎に、入口料金所と、出口料金所と、この入口料金所と出口料金所とに対応する規定通行料金とが対応した通行料金テーブル１ＡＴが記憶されている。
【００３１】
図２は、本実施の形態に係る通行料金記憶部１Ａの有する通行料金テーブル１ＡＴの一例を示す模式図である。
【００３２】
本実施の形態に係る通行料金テーブル１ＡＴには、車種毎（ａ１）に、入口料金所（ａ２）、出口料金所（ａ３）、及びこの入口料金所と出口料金所との間の規定通行料金（ａ４）が対応して記憶されている。
【００３３】
閾値情報記憶部１Ｂには、規定通行料金と、この通行料金に対する所定の通行料金と、割引料金とが対応して記憶された閾値情報テーブル１ＢＴを有している。
【００３４】
図３は、本実施の形態に係る閾値情報記憶部１Ｂの有している閾値情報テーブル１ＢＴの一例を示す模式図である。
【００３５】
本実施の形態に係る閾値情報テーブル１ＢＴには、規定通行料金（ｂ１）と、この通行料金に対する閾値としての所定の通行料金（ｂ２）と、この閾値よりも安い割引料金（ｂ３）とが対応して記憶されている。
【００３６】
なお、本実施の形態に係る閾値情報テーブル１ＢＴには、規定通行料金と、この通行料金に対する所定の通行料金と、割引料金とが対応して記憶されていたが、これに限らず、規定通行料金と、この通行料金に対する閾値としての所定の通行料金と、通行料金に対する割引率とを対応して記憶させてもよいことはいうまでもない。
【００３７】
通行券挿入受付部（通行券受付手段）１Ｃは、利用者の操作による通行券の挿入を受け付けるものである。
【００３８】
通行券排出部１Ｄは、挿入された通行券を外部に排出するものである。
【００３９】
通行券駆動機構１Ｅは、通行券挿入受付部１Ｃから通行券排出部１Ｄまで通行券を移動させるための機構である。
【００４０】
データ入力部１Ｆ（出口料金所受付手段）は、利用者の操作により、目的地とする出口料金所の入力がなされるものである。
【００４１】
表示部１Ｇは、通行券に記録された入口料金所と、データ入力部１Ｆから入力された出口料金所とに対応する通行料金を表示するものである。
【００４２】
料金投入部１Ｈは、利用者により料金の投入がなされるものである。
【００４３】
料金検出部１Ｉは、料金投入部１Ｈから投入された料金を検出する機能と、検出した料金に関する情報を制御部１Ｒに出力する機能とを有する。
【００４４】
料金格納部１Ｊは、料金投入部１Ｈから投入された料金を格納するものである。
【００４５】
料金格納機構１Ｋは、料金投入部１Ｈから投入された料金を料金格納部１Ｊに移動させるものである。
【００４６】
釣り銭排出部１Ｌは、料金格納部１Ｊに格納された料金から釣り銭に対応する金額を外部に排出するものである。
【００４７】
釣り銭排出機構１Ｍは、料金格納部１Ｊに格納された料金から釣り銭に対応する金額を外部に排出するために、釣り銭を料金格納部１Ｊから釣り銭排出部１Ｌまで移動するものである。
【００４８】
磁気データ読み取り部１Ｎは、通行券駆動機構１Ｅにより移動された通行券の記録面に記録された入口料金所と、この入口料金所を通過した高速道路への進入時刻と、車両の車種とを読み出し、読み出した入口料金所と、この入口料金所を通過した高速道路への進入時刻と、車両の車種とを制御部１Ｒに出力する。
【００４９】
磁気データ書き込み部１Ｏは、車両の車種、入口料金所、進入時刻、出口料金所、精算済み料金、及び精算所の識別情報を通行券の記録面に記録させる。
【００５０】
印字部１Ｐは、通行券の表面に、車両の車種、入口料金所、進入時刻、出口料金所、精算済み料金、及び精算所の識別情報を通行券の表面に印字する。
【００５１】
通信インターフェース１Ｑは、図示しない料金収受中央装置と接続されており、この料金収受中央装置から送信された通行料金情報テーブルのデータを受信し、受信した通行料金情報テーブルのデータを制御部１Ｒに出力する。
【００５２】
制御部１Ｒは、通行券挿入受付部１Ｃから出力された通行券の検出信号を受け取ったか否かにより、通行券が挿入されたか否かを判定する機能と、この判定の結果、通行券が挿入されたと判定した場合、通行券の記録面から入口料金所を磁気データ読み取り部１Ｎに読み出させる機能と、利用者の操作により出口料金所がデータ入力部１Ｆから入力されたか否かを判定する機能と、この判定の結果、出口料金所が入力されたと判定した場合、通行券から読み出した入口料金所と、入力された出口料金所とに対応する規定通行料金を通行料金記憶部１Ａから読み出す機能と、この読み出した規定通行料金に対応する閾値と割引料金とを閾値情報記憶部１Ｂから読み出す機能と、規定通行料金が読み出した閾値以上か否かを判定する機能と、この判定の結果、規定通行料金が閾値以上であると判定した場合、規定通行料金から閾値よりも安い割引金額を差し引くことにより、割引後の通行料金を算出する機能と、算出した割引料金を表示部１Ｇに表示させる機能と、前述した判定の結果、規定通行料金が閾値未満であると判定した場合、規定通行料金を表示部１Ｇに表示させる機能と、料金検出部１Ｉによって通行料金が検出されたか否かにより、通行料金が料金投入部１Ｈから利用者の操作によって投入されたか否かを判定する機能と、この判定の結果、通行料金が投入されていないと判定した場合、通行券を外部に排出させるように通行券駆動機構１Ｅを制御する機能と、通行料金が料金投入部１Ｈから利用者の操作によって投入されたと判定した場合、釣り銭があるか否かを判定する機能と、釣り銭があると判定した場合、釣り銭に対応する金額を外部に排出するように釣り銭排出機構１Ｍを制御する機能と、通行券の記録面に入口料金所、出口料金所、精算所、及び精算済みの通行料金を記録するように磁気データ書き込み部１Ｏを制御する機能と、入口料金所、出口料金所、精算所、及び精算済みの通行料金を通行券の表面に印字させるように印字部１Ｐを制御する機能と、通行券を通行券排出部１Ｄから外部に排出させるように通行券駆動機構１Ｅを制御する機能と、図示しない料金収受装置から送信された通行料金情報テーブル１ＡＴのデータを通信インターフェース１Ｑを介して受信し、受信したデータを通行料金情報テーブル１ＡＴに更新記憶させる機能とを有する。
【００５３】
また、本実施の形態に係る通行料金表示装置２は、通行料金記憶部２Ａと、通行券挿入受付部２Ｂと、磁気データ読み出し部２Ｃと、表示部２Ｄと、制御部２Ｅとから構成されている。
【００５４】
通行料金記憶部（通行料金記憶手段）２Ａには、入口料金所、出口料金所、及びこの入口料金所と出口料金所とに対応する規定通行料金とが対応した通行料金情報テーブル２ＡＴが記憶されている。
【００５５】
図４は、本実施の形態に係る通行料金記憶部２Ａの有する通行料金情報テーブル２ＡＴの一例を示す模式図である。
【００５６】
本実施の形態に係る通行料金情報テーブル２ＡＴには、車種毎（ｃ１）に、入口料金所（ｃ２）、出口料金所（ｃ３）、入口料金所と出口料金所との間の規定通行料金（ｃ４）、及び入口料金所からの距離（ｃ５）が対応して記憶されている。
【００５７】
通行券挿入受付部（通行券受付手段）２Ｂは、利用者の操作により通行券の挿入を受け付けるものである。
【００５８】
磁気データ読み出し部（精算情報読み出し手段）２Ｃは、入口料金所、精算時に申告された申告料金所、精算所、及び精算済みの通行料金を、通行券の記録面から読み出す機能を有している。
【００５９】
表示部２Ｄは、制御部２Ｅによって算出された通行料金又は超過分もしくは不足分の通行料金を表示する機能を有する。
【００６０】
制御部２Ｅは、利用者の操作により、通行券挿入受付部２Ｂから通行券の挿入がなされたか否かを判定する機能と、通行券の挿入がなされたと判定した場合、入口料金所、出口料金所、精算所、及び精算済みの通行料金を通行券から読み出す機能と、精算済みの通行料金が記録されているか否かにより、利用者が精算済みか否かを判定する機能と、この判定の結果、利用者が精算済みであると判定した場合、精算時に申告された申告料金所と高速道路から退出する出口料金所とが一致するか否かを判定する機能と、精算時に申告された申告料金所と高速道路から退出する出口料金所とが一致しないと判定した場合、入口料金所と退出する出口料金所とに対応する入口料金所からの距離と、入口料金所と精算時に申告された申告料金所とに対応する距離とを通行料金記憶部２Ａから読み出す機能と、入口料金所から退出する出口料金所までの距離が入口料金所から精算時に申告された申告料金所までの距離よりも長いか否かを判定する機能と、この判定の結果、入口料金所から退出する出口料金所までの距離の方が長いと判定した場合、入口料金所と退出する出口料金所とに対応する規定通行料金を通行料金記憶部２Ａから読み出す機能と、読み出した通行料金から精算済みの通行料金を差し引くことにより、不足分の通行料金を算出する機能と、不足分の通行料金を表示部１Ｇに表示させる機能と、前述した判定の結果、利用者が精算済みでないと判定した場合、入口料金所と退出する出口料金所とに対応する規定通行料金を通行料金記憶部２Ａから読み出す機能と、読み出した規定通行料金を表示部１Ｇに表示させる機能と、前述した判定の結果、入口料金所から退出する出口料金所までの距離の方が短いと判定した場合、入口料金所と精算時に申告された申告料金所とに対応する規定通行料金を通行料金記憶部２Ａから読み出す機能と、精算済みの通行料金から読み出した通行料金を差し引くことにより、超過分の通行料金を算出する機能と、算出した超過分の通行料金を表示部１Ｇに表示させる機能とを有する。
【００６１】
次に、以上のように構成された通行料金割引装置の動作に関し、図を用いて説明する。
【００６２】
＜通行料金割引装置１の実行する処理＞
図５及び図６は、本実施の形態に係る通行料金割引装置１の動作を説明するためのフローチャートである。
【００６３】
始めに、制御部１Ｒは、通行券挿入受付部１Ｃに、利用者の操作により通行券が挿入されたか否かを判定する（ＳＴ１）。
【００６４】
制御部１Ｒは、この工程ＳＴ１で通行券が挿入されたと判定した場合（ＳＴ１：Ｙｅｓ）、通行券の記録面から入口料金所を磁気データ読み取り部１Ｎに読み出させる（ＳＴ２）。
【００６５】
一方、制御部１Ｒは、前述した工程ＳＴ１で通行券が挿入されていないと判定した場合（ＳＴ１：Ｎｏ）、引き続き、通行券が挿入されたか否かに関する判定処理を続ける。
【００６６】
工程ＳＴ３では、制御部１Ｒは、利用者の操作によりデータ入力部１Ｆから出口料金所が入力されたか否かを判定する。
【００６７】
制御部１Ｒは、この工程ＳＴ２で出口料金所が入力されたと判定した場合（ＳＴ３：Ｙｅｓ）、通行券から読み出した入口料金所と、入力された出口料金所に対応する規定通行料金を通行料金記憶部１Ａから読み出す（ＳＴ４：通行料金読み出し手段）。
【００６８】
一方、制御部１Ｒは、前述した工程ＳＴ２で出口料金所が入力されていないと判定した場合（ＳＴ３：Ｎｏ）、引き続き、出口料金所が入力されか否かに関する判定処理を継続する。
【００６９】
工程ＳＴ５では、制御部１Ｒは、規定通行料金に対応する閾値としての所定の通行料金（第１の所定料金）と、この所定の通行料金よりも安い割引金額（第２の所定料金）とを閾値情報記憶部１Ｂから読み出す。
【００７０】
次に、制御部１Ｒは、閾値情報記憶部１Ｂから読み出された規定通行料金が閾値以上か否かを判定する（ＳＴ６：料金判定手段）
制御部１Ｒは、この工程ＳＴ６で規定通行料金が閾値以上であると判定した場合（ＳＴ６：Ｙｅｓ）、規定通行料金から閾値の金額よりも小さい割引金額を差し引くことにより、割引後の通行料金を算出する（ＳＴ７：割引料金算出手段）。
【００７１】
次に、制御部１Ｒは、この算出した割引後の通行料金を表示部１Ｇに表示させる（ＳＴ８）。
【００７２】
これにより、表示部１Ｇに割引後の通行料金が表示される。この後、後述する工程ＳＴ１０に移行する。
【００７３】
一方、制御部１Ｒは、前述した工程ＳＴ６で閾値情報記憶部１Ｂから読み出された規定通行料金が閾値未満であると判定した場合（ＳＴ６：Ｎｏ）、入口料金所と退出する出口料金所とに対応する規定通行料金を表示部１Ｇに表示させる（ＳＴ９）。
【００７４】
これにより、表示部１Ｇに規定通行料金が表示される。この後、後述する工程ＳＴ１０に移行する。
【００７５】
制御部１Ｒは、料金検出部１Ｉから検出信号を受け取ったか否かにより、料金投入部１Ｈから通行料金が投入されたか否かが判定される（ＳＴ１０）。
【００７６】
制御部１Ｒは、この工程ＳＴ９で料金が投入されたと判定した場合（ＳＴ１０：Ｙｅｓ）、釣り銭があるか否かを判定する（ＳＴ１１）。
【００７７】
制御部１Ｒは、この工程ＳＴ１０で釣り銭があると判定した場合（ＳＴ１１：Ｙｅｓ）、釣り銭排出機構１Ｍに、釣り銭を釣り銭排出部１Ｌから外部に排出させる（ＳＴ１２）。
【００７８】
一方、制御部１Ｒは、前述した工程ＳＴ１０で料金投入部１Ｈから通行料金が投入されていないと判定した場合（ＳＴ１０：Ｎｏ）、通行券を外部に排出し（ＳＴ１３）、前述した工程ＳＴ１に戻る。
【００７９】
一方、制御部１Ｒは、前述した工程ＳＴ１０で釣り銭がないと判定した場合（ＳＴ１１：Ｎｏ）、後述する工程ＳＴ１４に移行する。
【００８０】
工程ＳＴ１４では、制御部１Ｒは、入口料金所、出口料金所、精算済みの通行料金、精算所、及び精算時刻とを通行券に記録させる。
【００８１】
次に、制御部１Ｒは、印字部１Ｐを制御して、入口料金所、出口料金所、精算済みの通行料金、精算所、及び精算時刻を通行券の表面に印字させる（ＳＴ１５）。
【００８２】
なお、本実施の形態に係る通行料金割引装置１では、入口料金所、出口料金所、精算済みの通行料金、精算所、及び精算時刻を通行券に記録させた後（ＳＴ１４）、入口料金所、出口料金所、精算済みの通行料金、精算所、及び精算時刻とを通行券の表面に印字させていたが（ＳＴ１５）、これに限らず、印字と記録とを実行する順序は、印字を先に実行した後、記録を実行してもよいし、時間的に同時に行ってもよいことは言うまでもない。
【００８３】
工程ＳＴ１６では、制御部１Ｒは、通行券排出部１Ｄを制御して通行券を外部に排出させる。
【００８４】
以上のような一連の処理により、通行料金割引装置１は、その動作を終了する。
【００８５】
＜通行料金表示装置２の実行する処理＞
次に、以上のように構成した通行料金表示装置２の動作に関し、図を用いて説明する。
【００８６】
図７は、本実施の形態に係る通行料金表示装置２の動作を説明するためのフローチャートである。
【００８７】
始めに、制御部２Ｅは、通行券挿入受付部２Ｂから通行券が挿入されたか否かを判定する（ＳＴ２１）。
【００８８】
制御部２Ｅは、この工程ＳＴ２１で通行券が挿入されたと判定した場合（ＳＴ２１：Ｙｅｓ）、入口料金所、出口料金所、精算所、及び精算済みの通行料金を磁気データ読み出し部２Ｃを制御して読み出させる（ＳＴ２２）。
【００８９】
一方、制御部２Ｅは、前述した工程ＳＴ２１で通行券が挿入されていないと判定した場合（ＳＴ２１：Ｎｏ）、引き続き、通行券が挿入されたか否かに関する判定処理を行う。
【００９０】
工程ＳＴ２３では、制御部２Ｅは、通行券から読み出した情報の中に、精算済みの通行料金があるか否かにより、利用者が精算済みであるか否かを判定する。
【００９１】
制御部２Ｅは、この工程ＳＴ２３で利用者が精算済みであると判定した場合（ＳＴ２３：Ｙｅｓ）、精算時に申告された申告料金所と退出する料金所とが一致するか否かを判定する（ＳＴ２４）。
【００９２】
制御部２Ｅは、この工程ＳＴ２４で精算時に申告された申告料金所と退出する料金所とが一致しないと判定した場合（ＳＴ２４：Ｎｏ）、入口料金所と退出する出口料金所とに対応する入口料金所からの距離と、入口料金所と精算時に申告された申告料金所とに対応する距離とを通行料金記憶部２Ａから読み出す（ＳＴ２５：距離読み出し手段）。
【００９３】
次に、制御部２Ｅは、入口料金所から退出する出口料金所までの距離が入口料金所から精算時に申告された申告料金所までの距離よりも長いか否かを判定する（ＳＴ２６）。
【００９４】
制御部２Ｅは、この工程ＳＴ２５で入口料金所から退出する出口料金所までの距離が入口料金所から精算時に申告された申告料金所までの距離よりも長いと判定した場合（ＳＴ２６：Ｙｅｓ）、入口料金所と退出する出口料金所とに対応する規定通行料金を通行料金記憶部２Ａから読み出す（ＳＴ２７：通行料金読み出し手段）。
【００９５】
次に、制御部２Ｅは、読み出した通行料金から精算済みの通行料金を差し引くことにより、不足分の通行料金を算出する（ＳＴ２８：不足料金算出手段）。
【００９６】
次に、制御部２Ｅは、算出した不足分の通行料金を表示部２Ｄに表示させる（ＳＴ２９）。
【００９７】
これにより、算出された不足分の通行料金が表示部２Ｄに表示される（不足料金表示手段）。
【００９８】
一方、制御部２Ｅは、前述した工程ＳＴ２３で利用者が精算済みでないと判定した場合（ＳＴ２３：Ｎｏ）、入口料金所と、退出する出口料金所とに対応する通行料金を通行料金記憶部２Ａから読み出す（ＳＴ３０）。
【００９９】
次に、制御部２Ｅは、読み出した通行料金を表示部２Ｄに表示させる（ＳＴ３１）。
【０１００】
一方、制御部２Ｅは、前述した工程ＳＴ２４で精算時に申告された申告料金所と退出する料金所とが一致すると判定した場合（ＳＴ２４：Ｎｏ）、そのまま動作を終了する。
【０１０１】
一方、制御部２Ｅは、前述した工程ＳＴ２６で入口料金所から退出する出口料金所までの距離が入口料金所から精算時に申告された申告料金所までの距離よりも短いと判定した場合（ＳＴ２６：Ｎｏ）、入口料金所と退出する料金所とに対応する規定通行料金を通行料金記憶部１Ａから読み出す（ＳＴ３２：通行料金読み出し手段）。
【０１０２】
次に、制御部２Ｅは、読み出した規定通行料金から精算済みの通行料金を差し引くことにより、超過分の通過料金を算出する（ＳＴ３３：超過料金算出手段）。
【０１０３】
次に、制御部１Ｒは、算出した超過分の通行料金を表示部１Ｇに表示させる（ＳＴ３４）。
【０１０４】
これにより、算出された超過分の通行料金が表示部２Ｄに表示される（超過料金表示手段）。
【０１０５】
以上のような一連の処理により、通行料金表示装置は、その動作を終了する。
【０１０６】
上述したように本実施の形態によれば、入口料金所と出口料金所との間のパーキングエリア又はサービスエリアに通行料金割引装置を設置することによって出口料金所でのサービスタイムが短縮できるので、ＥＴＣシステムを用いることなく、高速道路の料金所付近で生じる渋滞を解消することが出来る。
【０１０７】
本実施の形態によれば、割引を行うことにより、事前精算の利用を喚起することが出来る。
【０１０８】
本実施の形態によれば、サービスエリア及びパーキングエリアの利用者の増加が期待出来る。
【０１０９】
本実施の形態によれば、高速道路のいずれのサービスエリア及びパーキングエリアにおいても事前精算に伴う通行料金の割引を実施することが出来る。
【０１１０】
［第２の実施の形態］
図８は、本発明の第２の実施の形態に係る乗継券発行装置３と、通行料金表示装置４とを適用した通行料金精算システムの構成例を示す模式図である。
【０１１１】
本実施の形態に係る乗継券発行装置３は、入口料金所からの距離に応じて通行料金が課金される、所謂「対距離方式」の高速道路の出口料金所との間に設けられた複数の料金所に設置されている。
【０１１２】
また、本実施の形態に係る通行料金表示装置４は、「対距離方式」で課金される高速道路の各料金所に設置されている。
【０１１３】
本実施の形態に係る通行料金精算システムは、車両の利用者が入口料金所と出口料金所との間に設けられた複数のサービスエリア及びパーキングエリアに設けられた第１の実施の形態における通行料金割引装置で事前精算済みの通行券を有している場合、利用可能となっている。
【０１１４】
通行券には、入口料金所、出口料金所、精算所、精算時刻、及び精算済みの通行料金が記録面に磁気データとして記録されていると共に、他の一面に、当該データが印字されている。
【０１１５】
本実施の形態に係る乗継券発行装置３は、通行券挿入受付部３Ａと、記録媒体保持部３Ｂと、磁気データ読み取り部３Ｃと、磁気データ書き込み部３Ｄと、印字部３Ｅと、乗継券排出部３Ｆと、乗継券駆動機構３Ｇと、通行券排出部３Ｈと、通行券排出機構３Ｉと、制御部３Ｊとから構成される。
【０１１６】
通行券挿入受付部３Ａは、料金所ブース内の操作員の操作により挿入された通行券を受け付けるものである。
【０１１７】
記録媒体保持部３Ｂは、ロール状に巻かれた状態で発行前の乗継券を保持している。
【０１１８】
磁気データ読み取り部（精算情報読み出し手段）３Ｃは、乗継券の記録面に記録された磁気データを読み取るためのものである。
【０１１９】
磁気データ書き込み部３Ｄは、磁気データ読み取り部３Ｃにより通行券から読み取った磁気データを乗継券の記録面に記録するためのものである。
【０１２０】
印字部３Ｅは、乗継券の表面に、車種、入口料金所、出口料金所、及び精算済みの通行料金を印字する。
【０１２１】
乗継券排出部３Ｆは、乗継券を一枚毎に裁断し、裁断した乗継券を発行して外部に排出する（乗継券発行手段）。
【０１２２】
乗継券駆動機構３Ｇは、乗継券を記録媒体保持部３Ｂから乗継券排出部まで移動させるためのものである。
【０１２３】
通行券排出部３Ｈは、通行券挿入受付部３Ａから挿入された通行券を外部に排出するためのものである。
【０１２４】
通行券排出機構３Ｉは、通行券を、通行券挿入受付部３Ａから通行券排出部３Ｈまで駆動するためのものである。
【０１２５】
制御部３Ｊは、料金所ブース内の操作員の操作により、通行券挿入受付部３Ａから挿入されたか否かを判定する機能と、当該判定の結果、通行券挿入受付部３Ａから挿入されたと判定した場合、入口料金所、精算時に申告された申告料金所、精算所、及び精算済み料金を磁気データ読み取り部３Ｃに通行券から読み出させる機能と、読み出した入口料金所、精算時に申告された申告料金所、精算所、及び精算済み料金を磁気データ書き込み部３Ｄを制御して乗継券の記録面に記録させる機能と、印字部３Ｅを制御して乗継券の表面に、車種、入口料金所、出口料金所、及び精算済みの通行料金を印字させる機能と、乗継券駆動機構３Ｇを制御して、乗継券を記録媒体保持部３Ｂから乗継券排出部３Ｇまで移動させる機能と、乗継券排出部３Ｇを制御して移動させた乗継券を一枚毎に裁断させ、裁断した乗継券を外部に排出させる機能とを有する。
【０１２６】
また、本実施の形態に係る通行料金表示装置４は、通行料金記憶部４Ａと、第１の挿入受付部４Ｂと、第２の挿入受付部４Ｃと、第１の磁気データ読み取り部４Ｄと、第２の磁気データ読み取り部４Ｅと、通行券格納部４Ｆと、乗継券格納部４Ｇと、通行券駆動機構４Ｈと、乗継券駆動機構４Ｉと、表示部４Ｊと、制御部４Ｋとから構成されている。
【０１２７】
通行料金記憶部４Ａには、車種毎に、入口料金所、出口料金所、入口料金所と出口料金所とに対応する規定通行料金、及び入口料金所からの距離とが対応した通行料金情報テーブル４ＡＴが記憶されている。
【０１２８】
図９は、本実施の形態に係る通行料金記憶部４Ａの有する通行料金情報テーブル４ＡＴの一例を示す模式図である。
【０１２９】
本実施の形態に係る通行料金情報テーブル４ＡＴには、車種（ｄ１）毎に、入口料金所（ｄ２）、出口料金所（ｄ３）、入口料金所と出口料金所とに対応する規定通行料金（ｄ４）、及び入口料金所からの距離（ｄ５）とが対応して記憶されている。
【０１３０】
第１の挿入受付部４Ｂは、料金ブース内の操作員の操作により、通行券の挿入を受け付けるものである。
【０１３１】
第２の挿入受付部４Ｃは、料金ブース内の操作員の操作により、乗継券の挿入を受け付けるものである。
【０１３２】
第１の磁気データ読み取り部４Ｄは、通行券の記録面に磁気データとして記録された入口料金所、出口料金所、精算所、及び精算済みの通行料金を読み出し、読み出した入口料金所、出口料金所、精算所、及び精算済みの通行料金を制御部４Ｋに出力する機能を有する。
【０１３３】
第２の磁気データ読み取り部４Ｅは、乗継券の記録面に磁気データとして記録された入口料金所、出口料金所、精算所、精算済みの通行料金、退出した料金所、及び退出時刻を読み出し、読み出した入口料金所、出口料金所、精算所、精算済みの通行料金、退出した料金所、及び退出時刻を制御部４Ｋに出力する機能を有する。
【０１３４】
通行券格納部４Ｆは、挿入された通行券を回収し、回収した通行券を格納する場所である。
【０１３５】
乗継券格納部４Ｇは、挿入された乗継券を回収し、回収した乗継券を格納する場所である。
【０１３６】
通行券駆動機構４Ｈは、挿入受付部から通行券格納部まで通行券を移動するための機構である。
【０１３７】
乗継券駆動機構４Ｉは、挿入受付部から乗継券格納部まで乗継券を移動するための機構である。
【０１３８】
表示部４Ｊは、制御部４Ｋから出力された通行料金を表示するためのものである。
【０１３９】
制御部４Ｋは、第１の挿入受付部４Ｂから通行券が挿入されたか否かを判定する機能と、当該判定の結果、通行券が挿入されたと判定した場合、第２の挿入受付部４Ｃから乗継券が挿入されたか否かを判定する機能と、第１の磁気データ読み取り部４Ｄを制御して入口料金所、出口料金所、精算所、及び精算済みの通行料金を通行券から読み出させる機能と、第２の磁気データ読み取り部４Ｅを制御して入口料金所、出口料金所、精算所、精算済みの通行料金、退出した料金所、及び退出時刻を乗継券から読み出させる機能と、通行券及び乗継券から読み出した入口料金所と精算時に申告された申告料金所と退出する出口料金所とに対応する入口料金所からの距離を通行料金記憶部４Ａから読み出す機能と、入口料金所から退出する出口料金所までの距離が入口料金所から精算時に申告された申告料金所までの距離よりも長いか否かを判定する機能と、当該判定の結果、入口料金所から退出する出口料金所までの距離が入口料金所から精算時に申告された申告料金所までの距離より長いと判定した場合、入口料金所と退出する出口料金所とに対応する規定通行料金を通行料金記憶部４Ａから読み出す機能と、通行料金情報記憶４Ａから読み出した規定通行料金から精算済みの通行料金を差し引くことにより、不足分の通行料金を算出する機能と、算出した不足分の通行料金を表示部４Ｊに表示させる機能と、通行券を通行券駆動機構４Ｈを制御して通行券格納部４Ｆに移動させ、通行券格納部４Ｆに格納させる機能と、乗継券を乗継券駆動機構４Ｉを制御して乗継券格納部４Ｇに移動させ、乗継券格納部４Ｇに格納させる機能とを有する。
【０１４０】
次に、以上のように構成された乗継券発行装置と通行料金表示装置とを適用した料金収受システムの動作に関し、図面を用いて説明する。
【０１４１】
＜乗継券発行装置３の実行する処理＞
図１０は、本実施の形態に係る乗継券発行装置３の動作を説明するためのフローチャートである。
【０１４２】
始めに、制御部３Ｊは、料金ブース内の操作員の操作により通行券挿入受付部３Ａから通行券が挿入されたか否かを判定する（ＳＴ４１）。
【０１４３】
制御部３Ｊは、この工程ＳＴ４１で通行券が挿入されたと判定した場合（ＳＴ４１：Ｙｅｓ）、通行券の記録面に磁気データとして記録された入口料金所、出口料金所、精算所、及び精算済みの通行料金を磁気データ読み取り部３Ｃに読み出させる（ＳＴ４２）。
【０１４４】
一方、制御部３Ｊは、前述した工程ＳＴ４１で通行券が挿入されていないと判定した場合（ＳＴ４１：Ｎｏ）、引き続き通行券が挿入されたか否かに関する判定処理を継続する。
【０１４５】
工程ＳＴ４３では、制御部３Ｊは、通行券の記録面から読み出した入口料金所、出口料金所、精算所、及び精算済みの通行料金に、退出した料金所と退出時刻とを付加し、退出した料金所と退出時刻とを付加した入口料金所、出口料金所、精算所、及び精算済みの通行料金を磁気データ書き込み部３Ｄを制御して乗継券の記録面に記録させる。
【０１４６】
次に、制御部３Ｊは、退出した料金所と退出時刻とを付加した入口料金所、出口料金所、精算所、及び精算済みの通行料金を印字部３Ｅを制御して乗継券の表面に印字させる（ＳＴ４４）。
【０１４７】
次に、制御部３Ｊは、乗継券駆動機構３Ｇを制御して乗継券を一枚毎に裁断し、裁断した乗継券を乗継券排出部３Ｆを制御して外部に排出する（ＳＴ４５）。
【０１４８】
以上のような一連の処理により、乗継券発行装置３は、その動作を終了する。
【０１４９】
＜通行料金表示装置４の実行する処理＞
図１１は、本実施の形態に係る通行料金表示装置４の動作を説明するためのフローチャートである。
【０１５０】
始めに、制御部４Ｋは、第１の挿入受付部４Ｂから通行券の検出信号を受け取ったか否かにより、第１の挿入受付部４Ｂから通行券が挿入されたか否かを判定する（ＳＴ５１）。
【０１５１】
制御部４Ｋは、この工程ＳＴ５１で通行券が挿入されたと判定した場合（ＳＴ５１：Ｙｅｓ）、第２の挿入受付部４Ｃから乗継券の検出信号を受け取ったか否かにより、第２の挿入受付部４Ｃから乗継券が挿入されたか否かを判定する（ＳＴ５２）。
【０１５２】
制御部４Ｋは、この工程ＳＴ５２で乗継券が挿入されたと判定した場合（ＳＴ５２：Ｙｅｓ）、通行券の記録面に磁気データとして記録された入口料金所、出口料金所、精算所、及び精算済みの通行料金を第１の磁気データ読み出し部４Ｄに読み出させる（ＳＴ５３）。
【０１５３】
次に、制御部１Ｒは、乗継券の記録面に磁気データとして記録された入口料金所、出口料金所、精算所、精算済みの通行料金、途中退出した料金所、及び退出時刻を第２の磁気データ読み取り部４Ｅに読み出させる（ＳＴ５４）。
【０１５４】
一方、制御部４Ｋは、前述した工程ＳＴ５１で通行券が検出されていないと判定した場合（ＳＴ５１：Ｎｏ）、引き続き、通行券が検出されたか否かに関する判定処理を継続する。
【０１５５】
一方、制御部４Ｋは、前述した工程ＳＴ５２で乗継券が検出されていないと判定した場合（ＳＴ５２：Ｎｏ）、引き続き、乗継券が検出されたか否かに関する判定処理を継続する。
【０１５６】
工程ＳＴ５５では、通行券及び乗継券から読み出した入口料金所と精算時に申告された申告料金所と退出する出口料金所とに対応する入口料金所からの距離を通行料金記憶部４Ａから読み出す。
【０１５７】
次に、制御部４Ｋは、入口料金所から退出する出口料金所までの距離が入口料金所から精算時に申告された申告料金所までの距離よりも長いか否かを判定する（ＳＴ５６）。
【０１５８】
制御部４Ｋは、この工程ＳＴ５６で入口料金所から退出する出口料金所までの距離が入口料金所から精算時に申告された申告料金所までの距離より長いと判定した場合（ＳＴ５６：Ｙｅｓ）、入口料金所と、退出する出口料金所とに対応する規定通行料金を通行料金記憶部４Ａから読み出す（ＳＴ５７）。
【０１５９】
次に、制御部４Ｋは、通行料金情報記憶４Ａから読み出した規定通行料金から精算済みの通行料金を差し引くことにより、不足分の通行料金を算出する（ＳＴ５８）。
【０１６０】
次に、制御部４Ｋは、算出した不足分の通行料金を表示部４Ｊに表示させる（ＳＴ５９）。
【０１６１】
一方、制御部４Ｋは、前述した工程ＳＴ５６で入口料金所から退出する出口料金所までの距離が入口料金所から精算時に申告された申告料金所までの距離より短いと判定した場合、後述する工程ＳＴ６０に移行する。
【０１６２】
なお、本実施の形態では、制御部４Ｋが入口料金所から退出する出口料金所までの距離が入口料金所から精算時に申告された申告料金所までの距離より短いと判定した場合、後述する工程ＳＴ６０に移行してそのまま動作を終了しているが、入口料金所と退出する出口料金所とに対応する規定通行料金を読み出し、読み出した規定通行料金と精算済みの通行料金とから超過分の通行料金を算出し、算出した超過分の通行料金を表示部４Ｊに表示させてもよいことはいうまでもない。
【０１６３】
工程ＳＴ６０では、制御部４Ｋは、通行券を通行券駆動機構４Ｈにより通行券格納部４Ｆに移動させ、通行券格納部４Ｆに格納させる。
【０１６４】
次に、制御部４Ｋは、乗継券を乗継券駆動機構４Ｉにより乗継券格納部４Ｇに移動させ、乗継券格納部４Ｇに格納させる（ＳＴ６１）。
【０１６５】
なお、本実施の形態では、通行券を通行券格納部に格納した後、乗継券を乗継券格納部に格納しているが、通行券と乗継券とは、同時に格納してもよいし、乗継券を格納した後で通行券を格納してもよいことはいうまでもない。
【０１６６】
以上のような一連の処理により、通行料金表示装置４は動作を終了する。
【０１６７】
上述したように本実施の形態によれば、事前に精算を行うので、出口料金所で車両が長時間停止する必要がなくなり、ＥＴＣシステムを用いることなく、高速道路の料金所付近で生じる渋滞を解消することが出来る。
【０１６８】
本実施の形態によれば、高速道路上で渋滞が発生していることを示す渋滞情報を受け取った場合に、途中の料金所から高速道路を退出することにより、高速道路上の渋滞を回避することが出来るようになる。
【０１６９】
本実施の形態によれば、高速道路を１回退出して再度利用した場合であっても、通行券が無効になることなく、通行料金の割引の適用を受けることが可能となる。
【０１７０】
本実施の形態によれば、利用者が入口料金所と出口料金所との間に存在する観光名所や、ドライブインに立ち寄ることが出来る。
【０１７１】
本実施の形態によれば、対距離方式で課金される高速道路においても、乗り継ぎを可能とすることが出来る。
【０１７２】
なお、本発明は、上記各実施の形態に限定されるものでなく、実施段階ではその要旨を逸脱しない範囲で、種々に変形することが可能である。
【０１７３】
また、各実施の形態は、可能な限り適宜組み合わせて実施してもよく、その場合、組み合わされた効果が得られる。さらに、上記各実施の形態には、種々の段階の発明が含まれており、開示されている複数の構成要件における適宜な組み合わせにより種々の発明が抽出され得る。例えば、実施の形態に示されている全構成要件から幾つかの構成要件が省略されることで発明が抽出された場合には、その抽出された発明を実施する場合には、省略部分が周知慣用技術で適宜補われるものである。
【０１７４】
その他、本発明は、その要旨を逸脱しない範囲で種々変形して実施できる。
【０１７５】
【発明の効果】
以上詳記したように本発明によれば、ＥＴＣシステムを用いることなく、高速道路の料金所付近で生じる渋滞を解消することが可能な通行料金割引装置及び通行料金表示装置を提供出来る。
【０１７６】
さらに、本発明によれば、ＥＴＣシステムを用いることなく、高速道路上における渋滞を回避することを可能とする乗継券発行装置を提供出来る。
【図面の簡単な説明】
【図１】第１の実施の形態に係る通行料金割引装置１と、通行料金表示装置２とを適用した通行料金精算システムの構成例を示す模式図。
【図２】第１の実施の形態に係る通行料金記憶部１Ａの有する通行料金テーブル１ＡＴの一例を示す模式図。
【図３】第１の実施の形態に係る閾値情報記憶部１Ｂの有している閾値情報テーブル１ＢＴの一例を示す模式図。
【図４】第１の実施の形態に係る通行料金記憶部２Ａの有する通行料金情報テーブル２ＡＴの一例を示す模式図。
【図５】第１の実施の形態に係る通行料金割引装置１の動作を説明するためのフローチャート。
【図６】第１の実施の形態に係る通行料金割引装置１の動作を説明するためのフローチャート。
【図７】第１の実施の形態に係る通行料金表示装置２の動作を説明するためのフローチャート。
【図８】第２の実施の形態に係る乗継券発行装置３と、通行料金表示装置４とを適用した通行料金精算システムの構成例を示す模式図。
【図９】第２の実施の形態に係る通行料金記憶部４Ａの有する通行料金情報テーブル４ＡＴの一例を示す模式図。
【図１０】第２の実施の形態に係る乗継券発行装置３の動作を説明するためのフローチャート。
【図１１】第２の実施の形態に係る通行料金表示装置４の動作を説明するためのフローチャート。
【符号の説明】
１…通行料金割引装置、１Ａ…通行料金記憶部、１Ｂ…閾値情報記憶部、１Ｃ…通行券挿入受付部、１Ｄ…通行券排出部、１Ｅ…通行券駆動機構、１Ｆ…データ入力部、１Ｇ…表示部、１Ｈ…料金投入部、１Ｉ…料金検出部、１Ｊ…料金格納部、１Ｋ…料金格納機構、１Ｌ…釣り銭排出部、１Ｍ…釣り銭排出機構、１Ｎ…磁気データ読み取り部、１Ｏ…磁気データ書き込み部、１Ｐ…印字部、１Ｑ…通信インターフェース、１Ｒ…制御部、２…通行料金表示装置、２Ａ…通行料金記憶部、２Ｂ…通行券挿入受付部、２Ｃ…磁気データ読み出し部、２Ｄ…表示部、２Ｅ…制御部、３…乗継券発行装置、３Ａ…通行券挿入受付部、３Ｂ…記録媒体保持部、３Ｃ…磁気データ読み取り部、３Ｄ…磁気データ書き込み部、３Ｅ…印字部、３Ｆ…乗継券排出部、３Ｇ…乗継券駆動機構、３Ｈ…通行券排出部、３Ｉ…通行券排出機構、３Ｊ…制御部、４…通行料金表示装置、４Ａ…通行料金記憶部、４Ｂ…第１の挿入受付部、４Ｃ…第２の挿入受付部、４Ｄ…第１の磁気データ読み取り部、４Ｅ…第２の磁気データ読み取り部、４Ｆ…通行券格納部、４Ｇ…乗継券格納部、４Ｈ…通行券駆動機構、４Ｉ…乗継券駆動機構、４Ｊ…表示部、４Ｋ…制御部
【図１】
2004280448.tif 000003
【図２】
2004280448.tif 000004
【図３】
2004280448.tif 000005
【図４】
2004280448.tif 000006
【図５】
2004280448.tif 000007
【図６】
2004280448.tif 000008
【図７】
2004280448.tif 000009
【図８】
2004280448.tif 000010
【図９】
2004280448.tif 000011
【図１０】
2004280448.tif 000012
【図１１】
2004280448.tif 000013